(57)【要約】【課題】  ホルダーの前進に伴う傾斜により鉛芯が損傷するのを防ぐ。【解決手段】  保持筒１０と、保持筒１０の前端開口から突出して進退するように支持されるとともに鉛芯ｘを挿通するホルダー２０と、ホルダー２０に加わる径方向の力成分により保持筒１０に相対しホルダー２０を初期位置から鉛芯保護位置まで前進させながら傾斜する運動方向変換機構Ｍ２と、保持筒１０に支持されるとともに挟持した鉛芯ｘを繰出してホルダー２０に対し後方側から挿入する鉛芯繰出し機構Ｍ１とを備え、ホルダー２０の内周面には、その前端側で鉛芯の外周面に摺接する鉛芯摺接部２１ｂと、鉛芯摺接部２１ｂよりも後側で拡径された拡径部２１ｃとが設けられ、拡径部２１ｃは、ホルダー２０の傾きに伴って傾く鉛芯ｘを内在するように形成されている。【選択図】  図２
2020131437.tif 000002
【特許請求の範囲】
【請求項１】
保持筒と、前記保持筒の前端開口から突出して進退するように支持されるとともに鉛芯を挿通するホルダーと、前記ホルダーに加わる径方向の力成分により前記保持筒に相対し前記ホルダーを初期位置から鉛芯保護位置まで前進させながら傾斜する運動方向変換機構と、前記保持筒に支持されるとともに挟持した鉛芯を繰出して前記ホルダーに対し後方側から挿入する鉛芯繰出し機構とを備え、
前記ホルダーの内周面には、その前端側で鉛芯の外周面に摺接する鉛芯摺接部と、前記鉛芯摺接部よりも後側で拡径された拡径部とが設けられ、
前記拡径部は、前記ホルダーの傾きに伴って傾く鉛芯を内在するように形成されていることを特徴とするシャープペンシルユニット。
【請求項２】
前記拡径部の内周面は、前記初期位置にて鉛芯の外周面に接触せず、前記鉛芯保護位置にて鉛芯の外周面に接触するように形成されていることを特徴とする請求項１記載のシャープペンシルユニット。
【請求項３】
前記拡径部の内周面は、前記初期位置にて鉛芯の外周面に接触せず、前記鉛芯保護位置にて鉛芯の外周面に接触しないように形成されていることを特徴とする請求項１記載のシャープペンシルユニット。
【請求項４】
前記拡径部は、後方へ向かって段階的に拡径していることを特徴する請求項１〜３何れか１項記載のシャープペンシルユニット。
【請求項５】
前記拡径部は、後方へ向かって連続的に拡径していることを特徴とする請求項１〜３何れか１項記載のシャープペンシルユニット。
【請求項６】
請求項１〜５何れか１項記載のシャープペンシルユニットを具備した出没式筆記具。
【発明の詳細な説明】
【技術分野】
【０００１】
本発明は、シャープペンシル用リフィールやシャープペンシル等を構成するシャープペンシルユニット、及び該シャープペンシルユニットを具備した出没式筆記具に関するものである。
【背景技術】
【０００２】
従来、この種の発明に関連し、例えば特許文献１には、保持筒と、保持筒の前側開口部に挿通されてこの保持筒の前端から前方へ突出するとともにこの保持筒に対し進退可能に支持されたホルダーと、ホルダーに挿通される鉛芯を前方へ繰り出す鉛芯繰出し機構と、鉛芯からホルダーに加わる径方向の力によりこのホルダーを保持筒及び鉛芯に相対し前進させる運動方向変換機構とを備えたシャープペンシルユニットが記載されている。そして、このシャープペンシルユニットを軸筒に収容すれば、出没式筆記具を構成することが可能である。
前記シャープペンシルユニットによれば、ホルダーから突出した鉛芯に過剰な径方向の力が加わると、ホルダーが保持筒及び鉛芯に相対して前進するため、この前進したホルダーにより鉛芯を覆って保護することができる。
【先行技術文献】
【特許文献】
【０００３】
【特許文献１】特開２０１７−１５９５７９号公報
【発明の概要】
【発明が解決しようとする課題】
【０００４】
ところで、上記従来技術では、ホルダーが前進するのに伴って若干傾く。このため、この傾きに伴って鉛芯が折損したり著しく摩耗したりするおそれがある。
【課題を解決するための手段】
【０００５】
このような課題に鑑みて、本発明は、以下の構成を具備するものである。
保持筒と、前記保持筒の前端開口から突出して進退するように支持されるとともに鉛芯を挿通するホルダーと、前記ホルダーに加わる径方向の力成分により前記保持筒に相対し前記ホルダーを初期位置から鉛芯保護位置まで前進させながら傾斜する運動方向変換機構と、前記保持筒に支持されるとともに挟持した鉛芯を繰出して前記ホルダーに対し後方側から挿入する鉛芯繰出し機構とを備え、前記ホルダーの内周面には、その前端側で鉛芯の外周面に摺接する鉛芯摺接部と、前記鉛芯摺接部よりも後側で拡径された拡径部とが設けられ、前記拡径部は、前記ホルダーの傾きに伴って傾く鉛芯を内在するように形成されていることを特徴とするシャープペンシルユニット。
【発明の効果】
【０００６】
本発明は、以上説明したように構成されているので、ホルダーの前進に伴う傾斜により鉛芯が損傷するのを防ぐことができる。
【図面の簡単な説明】
【０００７】
【図１】本発明に係るシャープペンシルユニットの一例を示す縦断面図である。
【図２】ホルダーの一例を示す縦断面図であり、二点鎖線は挿通された鉛芯が撓んでいる状態を示す。
【図３】同シャープペンシルユニットを具備した筆記具の一例を示す内部構造図である。
【図４】同シャープペンシルユニットの作用を示す縦断面図であり、（ａ）はホルダーが初期位置にある状態、（ｂ）はホルダーが鉛芯保護位置まで前進した状態を示す。なお、ハッチングは前の状態に対し移動した部分を示す。
【図５】ホルダーの他例を示す縦断面図である。
【図６】ホルダーの他例を示す縦断面図である。
【発明を実施するための形態】
【０００８】
本実施の形態では、以下の特徴を開示している。
第１の特徴は、シャープペンシルユニットであって、保持筒と、前記保持筒の前端開口から突出して進退するように支持されるとともに鉛芯を挿通するホルダーと、前記ホルダーに加わる径方向の力成分により前記保持筒に相対し前記ホルダーを初期位置から鉛芯保護位置まで前進させながら傾斜する運動方向変換機構と、前記保持筒に支持されるとともに挟持した鉛芯を繰出して前記ホルダーに対し後方側から挿入する鉛芯繰出し機構とを備え、前記ホルダーの内周面には、その前端側で鉛芯の外周面に摺接する鉛芯摺接部と、前記鉛芯摺接部よりも後側で拡径された拡径部とが設けられ、前記拡径部は、前記ホルダーの傾きに伴って傾く鉛芯を内在するように形成されている（図１、図２及び図４参照）。
【０００９】
第２の特徴として、前記拡径部の内周面は、前記初期位置にて鉛芯の外周面に接触せず、前記鉛芯保護位置にて鉛芯の外周面に接触するように形成されている。
【００１０】
第３の特徴として、前記拡径部の内周面は、前記初期位置にて鉛芯の外周面に接触せず、前記鉛芯保護位置にて鉛芯の外周面に接触しないように形成されている（図２及び図４参照）。
【００１１】
第４の特徴として、前記拡径部は、後方へ向かって段階的に拡径している（図５参照）。
【００１２】
第５の特徴として、前記拡径部は、後方へ向かって連続的に拡径している（図６参照）。
【００１３】
第６の特徴は、上記シャープペンシルユニットを具備し、出没式筆記具を構成した（図３参照）。
【００１４】
＜第１の実施態様＞
次に、上記特徴を有する具体的な実施態様について、図面に基づいて詳細に説明する。本明細書中、軸方向とは、保持筒１０の中心線の延びる方向を意味する。また、「前」とは、前記軸方向の一方側であって鉛芯が繰り出される方向を意味する。また、「後」とは、前記一方側に対する逆方向側を意味する。
【００１５】
図１に示すシャープペンシルユニット１は、保持筒１０と、保持筒１０の前端開口から突出して進退するように支持されるとともに鉛芯ｘを挿通するホルダー２０と、ホルダー２０に加わる径方向の力成分により保持筒１０に相対しホルダー２０を初期位置から鉛芯保護位置まで前進させながら傾斜する運動方向変換機構Ｍ２と、保持筒１０内に支持されるとともに挟持した鉛芯ｘを繰出してホルダー２０に対し後方側から挿入する鉛芯繰出し機構Ｍ１と、保持筒１０の後端側に進退可能に接続された芯タンク部６０とを具備し、芯タンク部６０を進退させる操作により鉛芯ｘを繰り出す。
【００１６】
ここで、前記初期位置とは、ホルダー２０に過剰な径方向の力が加わっていない状態（図４（ａ）参照）の位置である。この初期位置では、ホルダー２０がカム斜面２１ａを略全周にわたって保持筒１０の前端開口に接触させている。
また、前記鉛芯保護位置とは、ホルダー２０が過剰な径方向の力成分により、保持筒１０に相対し前進して鉛芯ｘの先端側を覆った状態（図４（ｂ）参照）の位置である。
【００１７】
保持筒１０は、第１の筒部１１と、この第１の筒部１１の後端側に同芯状に接続された第２の筒部１２と、第２の筒部１２の後端側に同芯状に接続された第３の筒部１３とを一体的に具備している。これら第１〜第３の筒部１１，１２，１３は、その一部又は全部を一体の部材とすることが可能である。
【００１８】
第１〜第３の筒部１１，１２，１３は、それぞれ、金属等の硬質材料から長尺略円筒状に形成される。
第１の筒部１１は、進退可能なホルダー２０と、このホルダー２０を後方へ付勢するホルダー付勢部材２３とを内在して、運動方向変換機構Ｍ２を構成している。
第２の筒部１２及び第３の筒部１３は、芯ブレーカ３０及びチャック部４０等を内在して鉛芯繰出し機構Ｍ１を構成している。
【００１９】
ホルダー２０は、カム斜面２１ａを有するホルダー本体部２１と、ホルダー本体部２１の後側に接続されてホルダー付勢部材２３（図示例によれば圧縮コイルスプリング）の後端を受ける筒状の受け部２２とから一体的に構成され、保持筒１０に対し進退可能に支持される。
【００２０】
ホルダー本体部２１は、第１の筒部１１内に挿通されるとともに第１の筒部１１の前側開口から前方へ突出する略円筒状の部材である。このホルダー本体部２１の外周部には、第１の筒部１１の前端開口に摺接する環状のカム斜面２１ａが全周にわたって設けられている。
【００２１】
カム斜面２１ａは、前方へ向かって拡径する円錐面状に形成される。このカム斜面２１ａは、ホルダー２０に加わる径方向の力成分によりホルダー２０を保持筒１０に相対し前進させる。
【００２２】
また、ホルダー本体部２１の内周面には、その前端側で鉛芯ｘの外周面に摺接する鉛芯摺接部２１ｂと、鉛芯摺接部２１ｂよりも後側で拡径された拡径部２１ｃとが形成される。
【００２３】
鉛芯摺接部２１ｂは、円筒状の内周面であり、鉛芯ｘの外周面に摺接してスムーズに進退するように、その内径及び長さが適宜に設定されている。
【００２４】
拡径部２１ｃの内周面は、前記初期位置（図４（ａ）参照）にて鉛芯ｘの外周面に対し接触せず、前記鉛芯保護位置（図４（ｂ）参照）にて鉛芯ｘの外周面に対し接触しないように、その内径ｄ（図２参照）及び長さが適宜に設定されている。
【００２５】
また、運動方向変換機構Ｍ２は、第１の筒部１１、ホルダー２０のカム斜面２１ａ、ホルダー２０を後方へ付勢するホルダー付勢部材２３等によって構成される。この運動方向変換機構Ｍ２は、鉛芯ｘを介してホルダー２０に過剰な径方向の力が加わった際に、この径方向の力成分によりカム斜面２１ａを第１の筒部１１の前端開口に押し付けて滑らせ、ホルダー２０を、初期位置（図４（ａ）参照）から前進させて、所定の鉛芯保護位置（図４（ｂ）参照）にする。ホルダー２０は、前記前進に伴って若干傾く。
【００２６】
また、鉛芯繰出し機構Ｍ１は、第２の筒部１２内の前端側に保持された芯ブレーカ３０と、芯ブレーカ３０よりも後側で進退運動するチャック部４０と、チャック部４０に対し後側から環状に嵌り合うクラッチリング４１と、クラッチリング４１をその後方側から受ける略筒状のクラッチ受け４２と、チャック部４０の後端側を支持する支持部材４３と、支持部材４３の後端側に接続されて芯タンク部６０の進退を案内するガイド筒部４４と、第１〜第３の付勢部材５１〜５３とを備える。
この鉛芯繰出し機構Ｍ１は、芯タンク部６０から伝達される進退運動により、チャック部４０に挟持した鉛芯ｘを繰り出す。また、この鉛芯繰出し機構Ｍ１は、チャック部４０に挟持した鉛芯ｘに予め設定された筆圧よりも強い後向きの付勢力が加わった際に、鉛芯ｘと共にチャック部４０等を後退させる。
【００２７】
芯ブレーカ３０は、エラストマー樹脂や合成ゴム等の弾性材料によって略円筒状に形成され、前端部を第２の筒部１２前端から突出させるようにして、第２の筒部１２の前端開口部に進退不能に嵌り合っている（図１及び図４参照）。この芯ブレーカ３０は、挿通される鉛芯ｘの外周面に緩圧接される。
【００２８】
なお、鉛芯繰出し機構Ｍ１及び運動方向変換機構Ｍ２の基本構造には、特許文献１のものを適用することが可能である。
【００２９】
また、芯タンク部６０は、前端部を開口した略筒状に構成され、鉛芯繰出し機構Ｍ１に対し後方側から鉛芯ｘを供給する。この芯タンク部６０は、保持筒１０の後端側に進退可能に係合したスライド筒部６１と、このスライド筒部６１に接続されて後方へ延設された円筒状のタンク本体部６２とから構成される。これらスライド筒部６１とタンク本体部６２は、一体の部材から形成することが可能である。
【００３０】
そして、上記構成のシャープペンシルユニット１は、図３に例示するように、多機能出没式筆記具Ａに組み込まれる。
多機能出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１又はボールペンリフィール９である。
例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６を前進させる操作を行えば、シャープペンシルユニット１の前端から鉛芯ｘが繰り出される。
この多機能出没式筆記具Ａには、例えば特開２０１４−１９８４３９号公報に示される基本構造を適用することが可能である。
【００３１】
次に、上記構成のシャープペンシルユニット１及び多機能出没式筆記具Ａについて、その特徴的な作用効果を詳細に説明する。
【００３２】
図４（ａ）に示す通常の筆記状態では、ホルダー２０のカム斜面２１ａと、保持筒１０の前端開口とが、略全周にわたって接触し、保持筒１０からホルダー２０にわたって挿通される鉛芯ｘが略直線状に保持される。
【００３３】
また、図４（ｂ）に示すように、鉛芯ｘが強く被筆記面ｐ（例えば紙面等）に押し付けられる等して、鉛芯ｘに過剰な径方向の力が加わった際には、保持筒１０の前端開口にカム斜面２１ａが摺接することで、鉛芯ｘ及び保持筒１０に相対しホルダー２０が前進する。
この前進の際、ホルダー２０は、図４（ｂ）に示すように若干傾く。このため、ホルダー２０に挿通されている鉛芯ｘは、鉛芯摺接部２１ｂとチャック部４０の間の前後にわたる範囲で、湾曲するようにして傾く。
なお、前記のように鉛芯ｘが傾く際、芯ブレーカ３０は、その内周面側が鉛芯ｘによって径方向に押圧されて若干弾性変形する。
【００３４】
傾いた鉛芯ｘの外周面は、ホルダー２０内の拡径部２１ｃ内周面に対し、接触しないように隙間を確保する。
このため、ホルダー２０内の鉛芯ｘが、ホルダー２０内周面に当接するのを阻むことができ、ひいては、鉛芯ｘの折損や摩耗等を防ぐことができる。
【００３５】
なお、上記実施態様によれば、一例として、ホルダー２０が上記鉛芯保護位置にある際に、傾いた鉛芯ｘの外周面が拡径部２１ｃ内周面に接触しないようにしたが（図４（ｂ）参照）、他例としては、ホルダー２０が上記鉛芯保護位置にある際に、傾いた鉛芯ｘの外周面が拡径部２１ｃ内周面に接触（緩圧接）する構成とすることも可能である。この他例では、前記接触により鉛芯ｘが折損することのないように、拡径部２１ｃの内径ｄを適宜に設定する。
【００３６】
＜第２の実施態様＞
次に、本発明に係るシャープペンシルユニットについて、他の実施態様を説明する。なお、以下に示す実施態様は、上述した第１の実施態様に対し、一部を変更したものであるため、主にその変更部分について詳述し、同様に機能する部分については同一の符号を付けて重複する詳細説明を省略する。
【００３７】
第２の実施態様では、上記構成のシャープペンシルユニット１について、ホルダー２０を、図５に示すホルダー２０’に置換する。
【００３８】
ホルダー２０’は、上記ホルダー２０のホルダー本体部２１を、拡径部２１ｄを有するホルダー本体部２１’に置換したものである。
【００３９】
拡径部２１ｄは、鉛芯摺接部２１ｂよりも後側にて、後方へ向かって段階的に拡径する。
詳細に説明すれば、図５に示すように、この拡径部２１ｄは、後方へ向かって段階的に拡径された複数（図示例によれば３つ）の円筒状内周面２１ｄ１，２１ｄ２，２１ｄ３によって形成される。
【００４０】
図５に示すホルダー２０’を装着したシャープペンシルユニットによれば、前進したホルダー２０’内で鉛芯ｘが、拡径部２１ｄ内周面に強く圧接されるのを効果的に阻むことができ、ひいては、鉛芯ｘの折損や摩耗等をより確実に防ぐことができる。
【００４１】
＜第３の実施態様＞
第３の実施態様では、上記構成のシャープペンシルユニット１について、ホルダー２０を、図６に示すホルダー２０”に置換する。
【００４２】
ホルダー２０”は、上記ホルダー２０のホルダー本体部２１を、拡径部２１ｅを有するホルダー本体部２１”に置換したものである。
【００４３】
拡径部２１ｅは、図６に示すように、鉛芯摺接部２１ｂよりも後側にて、後方へ向かって連続的に拡径する円錐柱状の内周面である。
【００４４】
図６に示すホルダー２０”を装着したシャープペンシルユニットによれば、前進したホルダー２０”内で鉛芯ｘが、拡径部２１ｅ内周面に強く圧接されるのを効果的に阻むことができ、ひいては、鉛芯ｘの折損や摩耗等をより確実に防ぐことができる。
【００４５】
なお、図６に示す拡径部２１ｅは、後方へ向かって直線的に連続して拡径するように形成したが、この拡径部の他例としては、後方へ向かってラッパ状に湾曲しながら拡径する態様とすることも可能である。
【００４６】
また、本発明は上述した実施態様に限定されず、本発明の要旨を変更しない範囲で適宜変更可能である。
【符号の説明】
【００４７】
１：シャープペンシルユニット
１０：保持筒
１１：第１の筒部
２０，２０’，２０”：ホルダー
２１，２１’，２１”：ホルダー本体部
２１ａ：カム斜面
２２：受け部
２３：ホルダー付勢部材
２１ｂ：鉛芯摺接部
２１ｃ，２１ｄ，２１ｅ：拡径部
Ｍ１：鉛芯繰出し機構
Ｍ２：運動方向変換機構
ｘ：鉛芯
【図１】
2020131437.tif 000003
【図２】
2020131437.tif 000004
【図３】
2020131437.tif 000005
【図４】
2020131437.tif 000006
【図５】
2020131437.tif 000007
【図６】
2020131437.tif 000008